(57)【要約】      （修正有）【課題】携帯性、収納性、設置容易性、および使用時の快適性に優れ、洗髪に伴う介助者および被介助者の負担を軽減可能な折り畳み式シャンプー台を提供する。【解決手段】各縦部材２の所定箇所同士で固定したフレーム部６と、各枠体４の上部７ないし下部８の横部材間に渡された可撓性部材であり、前記枠体同士の回動を規制する回動規制部９と、各枠体上部７の各横部材３に対し脱着自在であり、各枠体４が所定箇所５を起点に下方に回動することで各枠体上部７の横部材間に生じる領域１０に対応した、略矩形の上面開口１１と、中央部の排水孔とを備えた布状材で構成されたシンク部１３と、各枠体上部７の横部材間に渡された可撓性部材１４に対し脱着自在であり、少なくとも可撓性部材上面１５を包み込む空気袋１６と、該空気袋１６からシンク部１３に伸びるスカート１７とで構成された空気枕部１８とを備える。【選択図】図１
0003168012.tif 000002
【実用新案登録請求の範囲】
【請求項１】
縦横の部材で略矩形をなす２つの枠体を、互いに上下方向に回動可能となるよう各縦部材の所定箇所同士で固定したフレーム部と、
前記各枠体の上部ないし下部の横部材間に渡された可撓性部材であり、前記枠体同士の回動を規制する回動規制部と、
前記各枠体上部の各横部材に対し脱着自在であり、前記各枠体が前記所定箇所を起点に下方に回動することで各枠体上部の横部材間に生じる領域に対応した、略矩形の上面開口と、中央部の排水孔とを備えた布状材で構成されたシンク部と、
前記各枠体上部の横部材間に渡された可撓性部材に対し脱着自在であり、少なくとも前記可撓性部材上面を包み込む空気袋と、該空気袋から前記シンク部に伸びるスカートとで構成された空気枕部と、
を備えることを特徴とする折り畳み式シャンプー台。
【請求項２】
前記回動規制部をなす可撓性部材は、前記横部材間の距離を調整可能とすべく伸縮機能を備えており、前記各枠体が前記所定箇所を起点に下方に回動した後における前記空気枕部の位置が、車椅子ないしベッドにおける被介助者の頸部高さに応じたものとなるよう、車椅子ないしベッド毎の伸縮位置が予め示されているものであることを特徴とする請求項１に記載の折り畳み式シャンプー台。
【考案の詳細な説明】
【技術分野】
【０００１】
本考案は、折り畳み式シャンプー台に関し、具体的には、携帯性、収納性、設置容易性、および使用時の快適性に優れ、洗髪に伴う介助者および被介助者の負担を軽減可能な技術に関する。
【背景技術】
【０００２】
加齢による身体機能の低下、各種疾病や障害など様々な要因によって、自ら洗髪を行うことが難しい人々は多い。そうした人々に対して調髪や洗髪を行う場合、介助者が該当者を補助しつつ洗髪台等に移動させ、困難な姿勢で洗髪等を行う必要があった。こうした状況に対応して、例えば、シンクの形状が半球状で最深部に排水口を有するシャンプーボールとそれを乗せるキャスタースタンドから成る携帯移動式洗髪台であって、当該シャンプーボールの上部円周の一部が一定の幅がある滑らかなＵ字状の首接置部が形成され、その対する表面にシャワーホースに接続されたシャワーヘッドとそれに湯を供給するハンドル水栓を有することを特徴とする携帯移動式洗髪台（特許文献１参照）などが提案されている。
【０００３】
また、給水タンクを備えて持ち運びに便利で使用上も便利な携帯シャンプーボックスを提供するとの課題の下、シャンプーボウルと、このシャンプーボウルに組み付けられる給水タンクと、この給水タンクに配管接続されるシャワーヘッドと、前記シャンプーボウルに折畳み可能に組み付けられる伸縮式脚部と、前記シャンプーボウルまたは給水タンクに組み付けられるキャリングハンドルと、を一体化して備えることを特徴とする携帯シャンプーボックス（特許文献２参照）なども提案されている。
【先行技術文献】
【特許文献】
【０００４】
【特許文献１】特開２００８−１１０１８１号公報
【特許文献２】特開２００７−１２５２１８号公報
【考案の概要】
【考案が解決しようとする課題】
【０００５】
従来技術等によれば、携帯化されたシャンプー装置を用いることで、従来と比べて洗髪機会は確かに増加することになる。ところが、必要以上の装備によって機材が重量化したり、サイズの大型化、機構の複雑化が生じており、携帯性、収納性、或いは車椅子やベッドへの設置容易性という点では介助者側への負担が少なからず残されていた。また、洗髪を受ける者の快適性について配慮が不足しており、洗髪中に頸部への固定的な圧迫が続き、疲労感、不快感の増大を招く恐れも依然としてあった。
【０００６】
従って、洗髪を行う介助者にかかる体力的、精神的な負担はそれほど解消されず、洗髪作業の準備と機器の撤収、収納に要する手間、時間も無視できないものであった。また一方で、洗髪を受ける側としても頸部圧迫による身体的な負担、また、介助者に手間をかけてしまうという精神的負担は少なくない。してみると、介助者、被介助者の双方にとって洗髪自体が厭われてしまう懸念すらあった。
【０００７】
本考案は、上記のような課題に鑑みなされたものであって、携帯性、収納性、設置容易性、および使用時の快適性に優れ、洗髪に伴う介助者および被介助者の負担を軽減可能な技術を提供することを目的とする。
【課題を解決するための手段】
【０００８】
上記のような課題を解決する本考案の折り畳み式シャンプー台は、縦横の部材で略矩形をなす２つの枠体を、互いに上下方向に回動可能となるよう各縦部材の所定箇所同士で固定したフレーム部と、前記各枠体の上部ないし下部の横部材間に渡された可撓性部材であり、前記枠体同士の回動を規制する回動規制部と、前記各枠体上部の各横部材に対し脱着自在であり、前記各枠体が前記所定箇所を起点に下方に回動することで各枠体上部の横部材間に生じる領域に対応した、略矩形の上面開口と、中央部の排水孔とを備えた布状材で構成されたシンク部と、前記各枠体上部の横部材間に渡された可撓性部材に対し脱着自在であり、少なくとも前記可撓性部材上面を包み込む空気袋と、該空気袋から前記シンク部に伸びるスカートとで構成された空気枕部と、を備えることを特徴とする。
【０００９】
本考案の折り畳み式シャンプー台によれば、フレーム部の枠体を回動させる際に、前記回動規制部により自ずと回動が規制されて、こうした回動により枠体上部の横部材間の領域が簡便かつ安定的に構成される。また、こうして構成された前記領域に対応した、前記枠体上部の横部材間に設置されたシンク部も、前記回動により上面開口を枠体上面に広げた状態で容易に安定することになる。しかも、このシンク部と隣接する空気枕部は可撓性部材と一体となって被介助者の頸部に柔らかく当接してこれを支持し、長時間の洗髪であっても被介助者頸部の血流を阻害せず、鬱血等が生じることもない。当然ながら、洗髪時における被介助者の快適性を従来より高めることにもつながる。
【００１０】
こうした構成を備える本考案の折り畳み式シャンプー台において、例えば、アルミなどの軽金属や強化プラスチックなどで構成された前記フレーム部と、ビニールや防水加工がなされた布など布状材で構成された前記シンク部とは、例えばシンク部の外縁に備わり前記横部材を巻回可能なマジックテープ等により脱着自在であり、介助者が本折り畳み式シャンプー台を被介助者の所在地に持ち込んで設置する作業、或いはそこから撤収する際の作業は非常に迅速かつ単純でごく簡単なものとなる。また、前記空気枕部と前記フレーム部も、空気枕部の外縁に備わり前記可撓性部材を巻回可能なマジックテープ等により、（前記可撓性部材を介して）脱着自在であり、本折り畳み式シャンプー台の設置、撤収の作業を更に迅速かつ簡便なものとする。
【００１１】
上記のように互いに脱着自在となっていることで、フレーム部、シンク部、および空気枕部は、それぞれ別々に収納することが可能であり、本折り畳み式シャンプー台は収納性にも優れている。更に、前記フレーム部は、枠体同士を上方に回動させることで、２つの枠体が互いに一平面で略重なった状態とすることが可能であり、前記シンク部は、布状材であるから収納スペースに応じて如何様にも畳むことが可能であり、前記空気枕部は、その空気袋において入気、脱気を行うための栓を備えているから、不要時には空気袋の栓から脱気して容積を低減することが可能である。つまり、フレーム部、シンク部、および空気枕部は、運搬や収納に際し必要に応じてそれぞれに減容することも可能なのである。
【００１２】
以上のように、本折り畳み式シャンプー台によれば、携帯性、収納性、設置容易性、および使用時の快適性に優れ、洗髪に伴う介助者および被介助者の負担を軽減可能となる。
【考案の効果】
【００１３】
本考案の折り畳み式シャンプー台によれば、携帯性、収納性、設置容易性、および使用時の快適性に優れ、洗髪に伴う介助者および被介助者の負担を軽減可能となる。
【図面の簡単な説明】
【００１４】
【図１】本実施形態の折り畳み式シャンプー台の設置形態例を示す斜視図である。
【図２】本実施形態の折り畳み式シャンプー台を示す上面図である。
【図３】本実施形態の折り畳み式シャンプー台を示す側面図である。
【図４】本実施形態のシンク部を示す説明図である。
【図５】本実施形態の折り畳み式シャンプー台における空気枕部を示す説明図である。
【図６】本実施形態の空気枕部の構造例を示す説明図である。
【図７】本実施形態におけるフレーム部の収納形態を示す説明図である。
【図８】本実施形態におけるフレーム部の回動形態を示す説明図である。
【考案を実施するための形態】
【００１５】
以下、図面を参照しながら本考案の実施の形態について説明する。図１は本実施形態の折り畳み式シャンプー台の設置形態例を示す斜視図であり、図２は本実施形態の折り畳み式シャンプー台を示す上面図であり、図３は本実施形態の折り畳み式シャンプー台を示す側面図である。この実施形態では、折り畳み式シャンプー台１を例えば車椅子３０に隣接させて配置する状況を例示している（図１、２等）。
【００１６】
本実施形態における折り畳み式シャンプー台１は、縦部材２および横部材３で略矩形をなす２つの枠体４を、互いに上下方向に回動可能となるよう各縦部材２の所定箇所５同士で固定したフレーム部６を備えている。
【００１７】
前記枠体４を構成する縦部材２および横部材３は、例えば、アルミやマグネシウム合金などの軽金属や、強化プラスチック、適宜な合成樹脂、或いは木材などで構成された部材であることが想定できる。いずれにしても必要な強度を備える部材であればよい。また、前記所定箇所５で各枠体４を固定する手段としては、重なった縦部材２の間を貫通するボルト２０およびこのボルト２０に螺合するナット２１を想定できる。勿論、縦部材２同士の回動を許容しつつ固定を図れる他の手段を採用しても問題ない。
【００１８】
また、前記折り畳み式シャンプー台１は、前記各枠体上部７の各横部材３に対し脱着自在であり、前記各枠体４が前記所定箇所５を起点に下方に回動することで各枠体上部７の横部材３の間に生じる領域１０に対応した、略矩形の上面開口１１と、中央部の排水孔１２とを備えた布状材で構成されたシンク部１３を備えている。このシンク部１３は、例えば、ビニールや防水加工がなされた布など布状材で構成されている。
【００１９】
図４でも示すように、このシンク部１３は、その周縁において必要以上のヨレが生じず、前記上面開口１１が略矩形を保つよう、帯状の補強体１３ａで縁取りがなされている。また、図４の側面図でもわかるように、このシンク部１３は、三角形の布状材１３ｂを４枚連結して逆四角錐形状を成しており、その中心部すなわち最下部には洗髪時に生じた排水を下方に導く為の排水孔１２が備わっている。また、この排水孔１２には、前記布状材１３ｂらから連続する排水経路１３ｃが備わっている。排水経路１３ｃは、三角形の布状材１３ｂから延長されている矩形部分１３ｄが互いに連結して構成された断面が略矩形の管体である。また、シンク部１３の外縁には、前記横部材３を巻回可能な長さを持つマジックテープ等の脱着手段１３ｅが備わっている。
【００２０】
こうした構成を備える前記折り畳み式シャンプー台１において、前記フレーム部６と前記シンク部１３とは、前記マジックテープ等の脱着手段１３ｅによって脱着自在である。従って介助者が本折り畳み式シャンプー台１を被介助者の所在地に持ち込んで、フレーム部６にシンク部１３を取り付ける作業、或いは撤去する際の作業は、単に前記マジックテープ等の脱着を行うのみでよく、非常に迅速かつ単純でごく簡単なものとなる。
【００２１】
また、前記折り畳み式シャンプー台１は、図５にて詳細に示すように、前記各枠体上部７の横部材３の間に渡された可撓性部材１４に対し脱着自在であり、少なくとも前記可撓性部材１４の上面１５を包み込む空気袋１６と、該空気袋１６から前記シンク部１３に伸びるスカート１７とで構成された空気枕部１８を備えている。この空気枕部１８は、その周縁に、例えば、前記可撓部材１４を巻回可能な長さを備えたマジックテープ等の脱着手段１８ａを備えており、この脱着手段１８ａにより、前記可撓性部材１４に対して脱着自在となっている。
【００２２】
こうした空気枕部１８は、図６にて示すように、膨張すると断面が半円状となる棒状の空気袋１６が互いに連通しつつ複数並列配置されたものである。また空気袋１６のうち少なくとも１つの背面（可撓部材１４に当接する側の面）には、空気袋１６らへの入気、脱気を施すための栓１８ｂが備わっている。従って、この空気枕部１８は、不要時には空気袋１６の栓１８ｂから脱気して容積を低減することが可能である。
【００２３】
また、前記空気枕部１８の備えるスカート１７は、図２、図５などでも示すように、前記シンク部１３へ向けて垂下される適宜な長さを備えた防水素材である。このスカート１７は、洗髪時に被介助者等から空気枕部１８を介して滴り落ちる洗髪後の水や洗髪剤等が、空気枕部１８の底部を回ってシンク部１３の外側に漏れ出ないよう機能する部材となる。
【００２４】
上述した空気枕部１８は可撓性部材１４と一体となって被介助者の頸部に柔らかく当接してこれを支持し、洗髪時における被介助者頸部の血流を阻害せず、鬱血等が生じることもない。当然ながら、洗髪時における被介助者の快適性を従来より高めることにもつながる。また上述したとおり、前記空気枕部１８と前記フレーム部６は、空気枕部１８の外縁に備わり前記可撓性部材１４を巻回可能なマジックテープ等により、（前記可撓性部材１４を介して）脱着自在であり、本折り畳み式シャンプー台１の設置、撤収の作業を更に迅速かつ簡便なものとする。
【００２５】
上記折り畳み式シャンプー台１は、前記各枠体４の上部７ないし下部８の横部材３の間に渡された可撓性部材であり、前記枠体同士の回動を規制する回動規制部９を更に備えている。この回動規制部９を成す可撓性部材は、例えば、鎖、ロープ、帯状の布などが想定できる。また、この回動規制部９の端部９ａは、図７、８に示すように、所定間隔で設けられた孔９ｂ、当該孔９ｂに挿入可能な棒状体９ｃを備えた締結具９ｄを具備しているとしてもよい。この場合、前記端部を横部材３の耳環３ｄに挿入の上、該横部材３に巻回した後、ベルト締めの要領で前記棒状体３ｂを前記孔３ａに挿入して、横部材３に対する可撓性部材の緊縛固定を行う形態を想定できる。前記締結具９ｄはベルトのバックル部分を想定すればよい。
【００２６】
こうした構成を備えることで、フレーム部６の枠体４を回動させる際に、枠体の横部材３同士の離間を可撓性部材の長さまでと規定する前記回動規制部９により自ずと回動が規制される。こうした回動により枠体上部７の横部材３の間の領域１０が簡便かつ安定的に構成される。また、こうして構成された前記領域１０に対応した、前記枠体上部７の横部材３の間に設置されたシンク部１３も、前記回動により上面開口１１を枠体上面に広げた状態で容易に安定することになる。
【００２７】
上記のように互いに脱着自在となっていることで、フレーム部６、シンク部１３、および空気枕部１８は、それぞれ別々に収納することが可能であり、本折り畳み式シャンプー台１は収納性にも優れている。更に、前記フレーム部６は、図７、８にて例示するように、枠体同士を上方に回動させることで、２つの枠体４が互いに一平面で略重なった状態とすることが可能である。また、前記シンク部１３は、布状材であるから収納スペースに応じて如何様にも畳むことが可能であり、前記空気枕部１８は、その空気袋１６において入気、脱気を行うための栓１８ｂを備えているから、不要時には空気袋１６の栓１８ｂから脱気して容積を低減することが可能である。つまり、フレーム部６、シンク部１３、および空気枕部１８は、運搬や収納に際し必要に応じてそれぞれに減容することも可能なのである。
【００２８】
なお、前記折り畳み式シャンプー台１において、前記回動規制部９をなす可撓性部材は、前記横部材３の間の距離を調整可能とすべく伸縮機能を備えており、前記各枠体４が前記所定箇所５を起点に下方に回動した後における前記空気枕部１８の位置が、車椅子３０ないしベッドにおける被介助者の頭部高さに応じたものとなるよう、車椅子３０ないしベッド毎の伸縮位置が予め示されているものであるとしてもよい。前記伸縮機能としては、上述した、可撓性部材の端部９ａに備わる、所定間隔で設けられた孔９ｂ、当該孔９ｂに挿入可能な棒状体９ｃを備えた締結具９ｄにより構成された、ベルトバックルを想定できる。この場合、前記端部９ａを横部材３の耳環３ｄに挿入の上、車椅子３０やベッドに応じてマーク９ｆが付された該当孔９ｂに前記棒状体３ｂを挿入できるよう、該端部９ａを横部材３に巻回する。この巻回後、ベルト締めの要領で前記棒状体３ｂを前記孔３ａに挿入して、横部材３に対する可撓性部材の緊縛固定を行う。図７の例では、車椅子に対応したマーク９ｆを“ｃ”、ベッドに対応したマーク９ｆを“ｂ”としている。
【００２９】
こうした形態を採用すれば、前記各枠体４が前記所定箇所５を起点に下方に回動した後における前記空気枕部１８の位置が、車椅子３０ないしベッドにおける被介助者の頭部高さに応じたものとなる。従って、介助者は特段の意識をすることなく、被介助者の状態に最も適合した状態で折り畳み式シャンプー台１の設置を迅速、かつ簡便に行うことが可能となる。
【符号の説明】
【００３０】
１  折り畳み式シャンプー台
２  縦部材
３  横部材
３ｄ  横部材の耳環
４  枠体
５  縦部材の所定箇所
６  フレーム部
７  枠体上部
８  枠体の下部
９  回動規制部
９ａ  回動規制部の端部
９ｂ  孔
９ｃ  棒状体
９ｄ  締結具
９ｆ  マーク
１０  横部材の間に生じる領域
１１  上面開口
１２  排水孔
１３  シンク部
１３ａ  補強体
１３ｂ  布状材
１３ｃ  排水経路
１３ｄ  矩形部分
１３ｅ  脱着手段
１４  可撓性部材
１５  可撓性部材の上面
１６  空気袋
１７  スカート
１８  空気枕部
１８ａ  脱着手段
１８ｂ  栓
２０  ボルト
２１  ナット
３０  車椅子
【図１】
0003168012.tif 000003
【図２】
0003168012.tif 000004
【図３】
0003168012.tif 000005
【図４】
0003168012.tif 000006
【図５】
0003168012.tif 000007
【図６】
0003168012.tif 000008
【図７】
0003168012.tif 000009
【図８】
0003168012.tif 000010